(57)【要約】【課題】新型なアクチュエータの枢支部を有するＦＰＣ用電気コネクタを提供する。【解決手段】本考案のＦＰＣ用電気コネクタは、ＦＰＣを挿入するためのＦＰＣ受入空洞を有する絶縁ハウジングと、絶縁ハウジングに並設され、前記ＦＰＣ受入空洞の底壁に沿って延在するように形成される接触ビームを有する複数の導電端子と、絶縁ハウジングに並設され、導電端子の接触ビームに対向した複数の枢支ビームと、枢支ビームに回転可能に係合ことにより前記絶縁ハウジングに対して開放状態と閉鎖状態との間に回転可能になり、ＦＰＣを導電端子の接触ビームに接続させるアクチュエータとを含む。アクチュエータの前側縁から複数のカム部が突出するように形成され、カム部同士の間に通溝がそれぞれ形成され、各カム部の両側に枢支部がそれぞれ通溝へ向きに突出し形成し、同一な通溝に位置する両枢支部の間に間隔が有する。【選択図】図１
0003124505.tif 000002
【実用新案登録請求の範囲】
【請求項１】
ＦＰＣを挿入するためのＦＰＣ受入空洞を有する絶縁ハウジングと、
前記絶縁ハウジングに並設され、前記ＦＰＣ受入空洞の底壁に沿って延在するように形成される接触ビームを有する複数の導電端子と、
前記絶縁ハウジングに並設され、前記導電端子の接触ビームに対向した複数の枢支ビームと、
前記枢支ビームに回転可能に係合されることにより前記絶縁ハウジングに対して開放状態と閉鎖状態との間で回転可能になっていて、ＦＰＣを導電端子の接触ビームに接続させるアクチュエータと
を含むＦＰＣ用電気コネクタにおいて、
前記アクチュエータの前側縁から複数のカム部が突出するように形成され、前記カム部同士の間に通溝がそれぞれ形成され、前記各カム部の両側に枢支部がそれぞれ通溝への向きに突出して形成され、同一な通溝に位置する両枢支部の間に間隔が有ることを特徴とするＦＰＣ用電気コネクタ。
【請求項２】
前記枢支部の断面が略円状を呈し、前記アクチュエータが閉鎖状態において、該枢支部がＦＰＣを押圧しないことを特徴とする請求項１に記載のＦＰＣ用電気コネクタ。
【請求項３】
前記絶縁ハウジングには、同一な通溝に位置する両枢支部の間に収容できる指部が設けられていること特徴とする請求項１に記載のＦＰＣ用電気コネクタ。
【請求項４】
前記指部にはガイド部が形成され、前記アクチュエータには該ガイド部に対応する案内部が形成されていることを特徴とする請求項３に記載のＦＰＣ用電気コネクタ。
【請求項５】
前記指部は、同一な通溝に位置する両枢支部の間に形成される間隔に収容されることを特徴とする請求項３に記載のＦＰＣ用電気コネクタ。
【請求項６】
前記枢支ビームの上側と接触ビームの下側は、前記絶縁ハウジングの外方を露出すること特徴とする、請求項１に記載のＦＰＣ用電気コネクタ。
【請求項７】
前記枢支ビームは、前記導電端子の一部分であること特徴とする請求項１に記載のＦＰＣ用電気コネクタ。
【請求項８】
前記ＦＰＣ用電気コネクタは、保持構造を有し、該保持構造はアクチュエータに設けられる係止部と、前記絶縁ハウジングに設けられる係止溝とからなること特徴とする請求項１に記載のＦＰＣ用電気コネクタ。
【請求項９】
ＦＰＣを挿入するためのＦＰＣ受入空洞を有する絶縁ハウジングと、
前記絶縁ハウジングに並設され、前記ＦＰＣ受入空洞の底壁に沿って延在するように形成される接触ビームを有する複数の導電端子と、
前記絶縁ハウジングに並設され、前記導電端子の接触ビームに対向した複数の枢支ビームと、
前記枢支ビームに回転可能に係合されることにより前記絶縁ハウジングに対して開放状態と閉鎖状態との間で回転可能になっていて、ＦＰＣを導電端子の接触ビームに押圧させる複数のカム部が設けられたアクチュエータと
を含むＦＰＣ用電気コネクタにおいて、
前記絶縁ハウジングに、前記アクチュエータのカム部同士の間に収容される指部が設けられていることを特徴とするＦＰＣ用電気コネクタ。
【請求項１０】
前記アクチュエータには、前記カム部の両側に前記枢支ビームに係合できる枢支部がそれぞれ形成されていること特徴とする請求項９に記載のＦＰＣ用電気コネクタ。
【請求項１１】
前記枢支ビームは、前記導電端子の一部分であること特徴とする請求項９に記載のＦＰＣ用電気コネクタ。
【請求項１２】
前記指部は、隣接する枢支ビームの間に収容されること特徴とする請求項９に記載のＦＰＣ用電気コネクタ。
【請求項１３】
ＦＰＣを挿入するためのＦＰＣ受入空洞を有する絶縁ハウジングと、
前記絶縁ハウジングに並設され、前記ＦＰＣ受入空洞の底壁に沿って延在するように形成される接触ビームを有する複数の導電端子と、
前記絶縁ハウジングに並設され、前記導電端子の接触ビームに対向した複数の枢支ビームと、
前記枢支ビームに回転可能に係合されることにより前記絶縁ハウジングに対して開放状態と閉鎖状態との間で回転可能になっていて、ＦＰＣを導電端子の接触ビームに押圧させる複数のカム部と、前記カム部の両側から突出して形成され、前記枢支ビームに回転可能に係合する枢支部とを含むアクチュエータと
を含むＦＰＣ用電気コネクタにおいて、
前記絶縁ハウジングは、前記枢支ビーム同士の間に収容できるＴ字形状を呈する頭部を有する指部が設けられ、前記Ｔ字形状を呈する頭部に収容溝が形成され、前記枢支ビームが収容溝の底部に支持されることを特徴とするＦＰＣ用電気コネクタ。
【請求項１４】
前記カム部と指部とは、長手方向で前記枢支ビームを挟むこと特徴とする請求項１３に記載のＦＰＣ用電気コネクタ。
【考案の詳細な説明】
【技術分野】
【０００１】
本考案は、ＦＰＣ、ＦＦＣ等と一般に呼ばれている平型柔軟ケーブル（この明細書では、これらを総称して単に「ＦＰＣ」という）をプリント基板に接続するために用いられるＦＰＣ用電気コネクタに関するものである。
【背景技術】
【０００２】
従来技術のＦＰＣ用電気コネクタの一例として、特許文献１乃至特許文献３に開示されたＦＰＣ用電気コネクタが知られ、このＦＰＣ用電気コネクタは、絶縁ハウジングと、該絶縁ハウジング内に収容される複数の導電端子と、絶縁ハウジングに対して開放状態と閉鎖状態との間で回転可能なアクチュエータと、を含む。前記絶縁ハウジングは相対した頂壁と底壁とを含み、絶縁ハウジングの先端にＦＰＣを挿入するためのＦＰＣ受入空洞が形成され、後端に導電端子に対応してこれを収容するための端子溝が形成されている。各導電端子は二股状となって前方に延出した上下一対の接触ビーム及び枢支ビームを含み、その接触ビームが絶縁ハウジングの底壁に保持され、枢支ビームは後端が絶縁ハウジングの頂壁に保持され、先端部下縁に切欠部が形成されている。アクチュエータは、基板部と、該基板部から延出するように形成された複数のカム部と、互いに隣接した両カム部を連接するように形成された枢支部と、を含む。
【特許文献１】米国特許第６８９３２８８号公報
【特許文献２】米国特許第６７５５６８２号公報
【特許文献３】米国特許第６０９９３４６号公報
【考案の開示】
【考案が解決しようとする課題】
【０００３】
アクチュエータが開放状態において、ＦＰＣが挿入力なしで絶縁ハウジングのＦＰＣ受入空洞に挿入され、アクチュエータが閉鎖状態になると、ＦＰＣは導電端子に圧接される。しかしながら、アクチュエータが回転する過程において、アクチュエータを回転させる外力が前記枢支部に加圧され、これにより、アクチュエータの枢支部は変形し易くなって損傷の恐れがあった。そこで、上述した欠点に鑑みて、新型ＦＰＣ用電気コネクタを開発する必要がある。
【０００４】
本考案は、新型アクチュエータの枢支部を有するＦＰＣ用電気コネクタを提供することを目的とする。
【課題を解決するための手段】
【０００５】
本考案のＦＰＣ用電気コネクタは、ＦＰＣを挿入するためのＦＰＣ受入空洞を有する絶縁ハウジングと、
前記絶縁ハウジングに並設され、前記ＦＰＣ受入空洞の底壁に沿って延在するように形成される接触ビームを有する複数の導電端子と、
前記絶縁ハウジングに並設され、前記導電端子の接触ビームに対向した複数の枢支ビームと、
前記枢支ビームに回転可能に係合されることにより前記絶縁ハウジングに対して開放状態と閉鎖状態との間で回転可能になっていて、ＦＰＣを導電端子の接触ビームに接続させるアクチュエータと
を含むＦＰＣ用電気コネクタにおいて、
前記アクチュエータの前側縁から複数のカム部が突出するように形成され、前記カム部同士の間に通溝がそれぞれ形成され、前記各カム部の両側に枢支部がそれぞれ通溝への向きに突出して形成され、同一な通溝に位置する両枢支部の間に間隔が有ることを特徴とするＦＰＣ用電気コネクタである。
【０００６】
また、本考案のＦＰＣ用電気コネクタは、ＦＰＣを挿入するためのＦＰＣ受入空洞を有する絶縁ハウジングと、
前記絶縁ハウジングに並設され、前記ＦＰＣ受入空洞の底壁に沿って延在するように形成される接触ビームを有する複数の導電端子と、
前記絶縁ハウジングに並設され、前記導電端子の接触ビームに対向した複数の枢支ビームと、
前記枢支ビームに回転可能に係合されることにより前記絶縁ハウジングに対して開放状態と閉鎖状態との間で回転可能になっていて、ＦＰＣを導電端子の接触ビームに押圧させる複数のカム部が設けられているアクチュエータと
を含むＦＰＣ用電気コネクタにおいて、
前記絶縁ハウジングに、前記アクチュエータのカム部同士の間に収容される指部が設けられていることを特徴とするＦＰＣ用電気コネクタである。
【０００７】
また、本考案のＦＰＣ用電気コネクタは、ＦＰＣを挿入するためのＦＰＣ受入空洞を有する絶縁ハウジングと、
前記絶縁ハウジングに並設され、前記ＦＰＣ受入空洞の底壁に沿って延在するように形成される接触ビームを有する複数の導電端子と、
前記絶縁ハウジングに並設され、前記導電端子の接触ビームに対向した複数の枢支ビームと、
前記枢支ビームに回転可能に係合されることにより前記絶縁ハウジングに対して開放状態と閉鎖状態との間で回転可能になっていて、ＦＰＣを導電端子の接触ビームに押圧させる複数のカム部と、前記カム部の両側から突出して形成され、前記枢支ビームに回転可能に係合する枢支部とを含むアクチュエータと
を含むＦＰＣ用電気コネクタにおいて、
前記絶縁ハウジングには、前記枢支ビーム同士の間に収容できるＴ字形状を呈する頭部を有する指部が設けられ、前記Ｔ字形状を呈する頭部に収容溝が形成され、前記枢支ビームが収容溝の底部に支持されることを特徴とするＦＰＣ用電気コネクタである。
【考案の効果】
【０００８】
従来の技術に比較して、本考案は以下の効果を有する。アクチュエータの前側縁から複数のカム部が突出するように形成され、前記カム部同士の間に通溝がそれぞれ形成され、前記各カム部の両側に枢支部がそれぞれ通溝への向きに突出して形成され、同一な通溝に位置する両枢支部の間に間隔が有る。前記間隔によって、アクチュエータを回転させる外力で枢支部を破裂させることが防止され、更に、ＦＰＣと導電端子との間の電気的な接続が安定して行われる。
【考案を実施するための最良の形態】
【０００９】
以下、この考案の実施の形態を添付の図を参照して説明する。
【００１０】
第１の実施形態のＦＰＣ用電気コネクタは、図１〜３を参照すると、絶縁ハウジング１と、複数の導電端子２と、絶縁ハウジング１に対して回転可能なアクチュエータ３と、支持部材４と、を含み、前記絶縁ハウジング１の前端側にＦＰＣ受入空洞１０が形成され、絶縁ハウジング１の底壁１２がＦＰＣ受入空洞１０の底部として、ＦＰＣ受入空洞１０の上部は前記アクチュエータ３が回転することにより開閉できる。
【００１１】
複数の導電端子２は絶縁ハウジング１の後端部から絶縁ハウジング１内に装着され、基部２０と、ＦＰＣ受入空洞１０の底部に位置し、絶縁ハウジング１の底壁１２に沿って延出するように形成される接触ビーム２２と、接触ビーム２２と上下方向で対向し、ＦＰＣ受入空洞１０への向きに延出するように形成された枢支ビーム２１と、基部２０から後方への向きに延在するテール部２３とを含む。枢支ビーム２１は絶縁ハウジング１の頂壁１１に沿って延出し、先端部下縁に切欠部２１０が形成され、また該枢支ビーム２１の先端部は頂壁１１の前端縁１１０から突出している。本実施形態においては、枢支ビーム２１は導電端子２の一部分として形成されているが、他の実施状態においては、枢支ビーム２１は導電端子２と別体であり、絶縁ハウジング１にそれぞれ装着されうる。
【００１２】
前記アクチュエータ３は、前記のように、ＦＰＣ受入空洞１０の上部を開閉できるようにした板状に成形されている。複数のカム部３１がアクチュエータ３の主体部３５の前縁側から延出して形成され、前記導電端子２の枢支ビーム２１を収容するために、前記各カム部３１同士の間に通溝（参照記号なし）が形成される。前記各カム部３１の両側には断面が略円状を呈する枢支部３２がそれぞれ通溝への向きに突出して形成され、同一な通溝に位置する両枢支部３２の間に間隔３３が有る。前記絶縁ハウジング１にはアクチュエータ３の間隔３３にそれぞれ収容される複数の指部１４が設けられ、こうして、アクチュエータ３のカム部３１と絶縁ハウジング１の指部１４は、枢支部３２同士の間に交互に並設される。
【００１３】
アクチュエータ３の両端部には、絶縁ハウジング１の両端部にそれぞれ設けられた凹溝１５に回転可能に収容できる軸部３４がそれぞれ形成されている。アクチュエータ３が絶縁ハウジング１に取付けられた際に、枢支部３２が前記導電端子２の枢支ビーム２１の切欠部２１０に係合し、軸部３４が絶縁ハウジング１の凹溝１５に収容される。また、アクチュエータ３の軸部３４を支持するために、前記支持部材４が凹溝１５に装着される。アクチュエータ３が図３（ａ）に示す開放状態において、ＦＰＣが絶縁ハウジング１のＦＰＣ受入空洞１０内に挿入され、図３（ｂ）に示す閉鎖状態において、前記枢支部３２はＦＰＣを押圧しないが、カム部３１によりＦＰＣを導電端子２に圧接させる。
【００１４】
本実施形態において、ＦＰＣ用電気コネクタは、保持構造を有する。アクチュエータ３の主体部３５の両端部には、凸縁３６０を有する一対の係止部３６がそれぞれ形成され、各係止部３６を係合するために、絶縁ハウジング１の端部から延出して形成された突出壁１６の下方には、アクチュエータ３の係止部３６に係合する係止溝１７が形成され、前記保持構造は、係合した係止部３６と係止溝１７からなる。前記係止部３６と主体部３５との間に間隔が有ることで、アクチュエータ３が回転する過程で、前記凸縁３６０により係止部３６が係止溝１７内に干渉して係合され、係止部３６が主体部３５への向きに変形できる。これにより、閉鎖状態においてアクチュエータ３が絶縁ハウジング１に安定して保持される。また、前記一対の係止溝１７は外側の距離が内側の距離より大きいので、ＦＰＣのＦＰＣ受入空洞１０への挿入を案内できる。
【００１５】
ＦＰＣ用電気コネクタの第２実施形態は、図４〜８を参照すると、絶縁ハウジング１と、複数の導電端子２と、絶縁ハウジング１に対して回転可能なアクチュエータ３と、支持部材４と、を含み、前記第１実施状態と異なることは、該ＦＰＣ用電気コネクタの長手方向の長さが増加することである。
【００１６】
本実施状態においての絶縁ハウジング１は、前記頂壁１１に形成される上溝１３１と、前記底壁１２に形成される下溝１３２とを含む複数の端子溝１３が形成される。図６〜図８を参照すると、前記上溝１３１が絶縁ハウジング１の頂壁１１を貫通するように形成される開放溝であることで、前記導電端子２が絶縁ハウジング１の端子溝１３内に装着された際に、上溝１３１に収容される導電端子２の枢支ビーム２１の上側が絶縁ハウジング１の外側に露出される。前記下溝１３２も絶縁ハウジング１の底壁１２を貫通するように形成される開放溝であることで、前記導電端子２が絶縁ハウジング１の端子溝１３内に装着された際に、下溝１３２に収容される導電端子２の接触ビーム２２の下側が絶縁ハウジング１の外側に露出され、また、接触ビーム２２の上側は絶縁ハウジング１のＦＰＣ受入空洞１０に露出される。
【００１７】
これらの構造によって、ＦＰＣ用電気コネクタの高さが減少され、ＦＰＣ用電気コネクタの薄型化になる。また、導電端子２の上下方向での移動を制限するために、導電端子２の基部２０には絶縁ハウジング１に係合する固持部２４が形成され、該固持部２４が絶縁ハウジング１に係合されることにより、導電端子２が絶縁ハウジング１に保持され、また導電端子２の上下方向での移動が制限される。
【００１８】
第１実施状態と異なるのは、本実施状態においての導電端子２の枢支ビーム２１に第１実施状態においての切欠部２１０が形成しないが、絶縁ハウジング１の指部１４にＴ字形状を呈する頭部（参照記号なし）が形成される。また、該Ｔ字形状を呈する頭部の両側には導電端子２の枢支ビーム２１の先端を収容するための収容溝１４０が形成される。ＦＰＣ用電気コネクタの取り付けた際に、前記指部１４が枢支ビーム２１同士の間に位置し、アクチュエータ３の枢支部３２が対応した枢支ビーム２１の下縁に押圧すると共に前記指部１４の収容溝１４０の底部に位置され、これによって、アクチュエータ３は図６ａに示す開放状態と図６ｂに示す閉鎖状態との間に回転可能になっている。
【００１９】
ＦＰＣ用電気コネクタの第３実施状態は図９〜図１１を参照すると、第２実施状態と同じことは、指部１４がＴ字形状を呈する頭部を有するであり、異なることは、前記端子溝１３の上溝１３１及び下溝１３２が絶縁ハウジング１の頂壁１１と底壁１２をそれぞれ部分に貫通するように形成られ、導電端子２の枢支ビーム２１及び接触ビーム２２は先端だけが絶縁ハウジング１の外側を露出されることである。こうして、枢支ビーム２１の上側と接触ビーム２２の下側が絶縁ハウジング１の頂壁１１と底壁１２にそれぞれ貼り付けられることにより、導電端子２の上下方向での移動が制限される。そのため、本実施状態においての導電端子２に、第２実施状態にような固持部を設けられない。
【００２０】
また、第２実施状態と第３状態とのＦＰＣ用電気コネクタは、長手方向での長さが長いので、アクチュエータ３の成型加工において折曲変形し易い恐れがある。また、図９に示す、アクチュエータ３は、両端の軸部３４だけにより支持すれば、開放状態においてアクチュエータ３の荷重によって矢印Ａ方向へ向ける折曲変形し易く、ＦＰＣが絶縁ハウジング１のＦＰＣ受入空洞１０へゼロ挿入力で挿入できない恐れがある。前記欠点に鑑みて、ＦＰＣ用電気コネクタに折曲防止機構８が配置される。
【００２１】
図９と図１１に示す、前記折曲防止機構８は、絶縁ハウジング１の指部１４のＴ字形状を呈する頭部に形成されるガイド部１８と、アクチュエータ３に形成される案内部３８と、を含む。前記案内部３８がガイド部１８により支持されることによって、ＦＰＣの絶縁ハウジング１への挿入を干渉することが防止でき、また、前記ガイド部１８と案内部３８により、アクチュエータ３の開放状態と閉鎖状態との間に回転することを案内できる。実際の要求に対応して、ＦＰＣ用電気コネクタには、複数の折曲防止機構８が配置され得る。
【００２２】
以上本考案についてよい実施の形態を参照して詳細に説明したが、実施形態はあくまでも例示的なものであり、これらに限定されるものではなく、例えば、図１２に示す、本考案に係るＦＰＣ用電気コネクタのアクチュエータ３に断面が偏円状を呈する枢支部３２が形成され得る。閉鎖状態において、カム部３１と枢支部３２とによりＦＰＣを導電端子２の接触部２２に押圧させる。また前記の説明は、本考案に基づきなし得る細部の修正或は変更など、いずれも本考案の実用新案登録請求の範囲に属するものである。
【図面の簡単な説明】
【００２３】
【図１】アクチュエータが開放状態にあるときの、第１実施状態のＦＰＣ用電気コネクタの組合わせ斜視図である。
【図２】図１に示す第１実施状態のＦＰＣ用電気コネクタの分解斜視図である。
【図３】図１に示す第１実施状態のＦＰＣ用電気コネクタのＡ-Ａ線で切断した断面であり、（ａ）はアクチュエータが開放状態にあるときの断面図、（ｂ）はアクチュエータが閉鎖状態にあるときの断面図である。
【図４】アクチュエータが開放状態にあるときの、第２実施状態のＦＰＣ用電気コネクタの組合わせ斜視図である。
【図５】図４に示す第２実施状態のＦＰＣ用電気コネクタの分解斜視図である。
【図６】図４に示す第２実施状態のＦＰＣ用電気コネクタのＢ-Ｂ線で切断した断面であり、（ａ）はアクチュエータが開放状態にあるときの断面図、（ｂ）はアクチュエータが閉鎖状態にあるときの断面図である。
【図７】図４に示す第２実施状態のＦＰＣ用電気コネクタの導電端子を絶縁ハウジングに装着された状態の部分の拡大図である。
【図８】図４に示す第２実施状態のＦＰＣ用電気コネクタの断面図であり、導電端子に沿って示した断面図である。
【図９】アクチュエータが開放状態にあるときの、第３実施状態のＦＰＣ用電気コネクタの組合わせ斜視図である。
【図１０】図９に示す第３実施状態のＦＰＣ用電気コネクタの断面図であり、導電端子に沿って示した断面図である。
【図１１】図９に示す第３実施状態のＦＰＣ用電気コネクタのＣ-Ｃ線で切断した断面である。
【図１２】本考案に係るＦＰＣ用電気コネクタのほかのアクチュエータの斜視図である。
【符号の説明】
【００２４】
１  絶縁ハウジング
２  導電端子
３  アクチュエータ
４  支持部材
８  折曲防止機構
１０  ＦＰＣ受入空洞
１１  頂壁
１２  底壁
１３  端子溝
１３１  上溝
１３２  下溝
１４  指部
１４０  収容溝
１５  凹溝
１６  突出壁
１７  係止溝
１８  ガイド部
２０  基部
２１  枢支ビーム
２１０  切欠部
２２  接触ビーム
２３  テール部
２４  固持部
３１  カム部
３２  枢支部
３３  間隔
３４  軸部
３５  主体部
３６  係止部
３６０  凸縁
３８  案内部
【図１】
0003124505.tif 000003
【図２】
0003124505.tif 000004
【図３】
0003124505.tif 000005
【図４】
0003124505.tif 000006
【図５】
0003124505.tif 000007
【図６】
0003124505.tif 000008
【図７】
0003124505.tif 000009
【図８】
0003124505.tif 000010
【図９】
0003124505.tif 000011
【図１０】
0003124505.tif 000012
【図１１】
0003124505.tif 000013
【図１２】
0003124505.tif 000014